(57)【要約】【課題】低コストで高い送信電力を実現した高効率のＯＦＤＭ通信装置を得る。【解決手段】送信機は、複数のＯＦＤＭシンボルごとの時間波形のＰＡＰＲ情報Ｓ３を算出するＰＡＰＲ算出部６と、ＰＡＰＲ情報Ｓ３に基づいて複数のＯＦＤＭシンボルごとの平均電力を補正するための電力補正手段と、複数のＯＦＤＭシンボルごとの平均電力補正値Ｓ４を受信機に通知するための通知情報Ｓ６を生成する通知情報生成部８と、通知情報Ｓ６を送信アンテナ１２から受信アンテナに送信するための送信手段とを備えている。受信機は、受信アンテナを介して送信機からの受信信号を取得する受信手段と、受信信号に含まれる通知情報に基づき、複数のＯＦＤＭシンボルごとの平均電力補正値を取得するとともに、取得した平均電力補正値に基づき、受信信号に補正を与えて各サブキャリアの情報を復元するための基準情報を算出する基準情報算出部とを有する。【選択図】図１
2010283480.tif 000002
【特許請求の範囲】
【請求項１】
送信アンテナを有する送信機と受信アンテナを有する受信機との間でＯＦＤＭ通信を行うＯＦＤＭ通信装置において、
前記送信機は、
複数のＯＦＤＭシンボルごとの時間波形のＰＡＰＲ情報を算出するＰＡＰＲ算出部と、
前記ＰＡＰＲ情報に基づいて前記複数のＯＦＤＭシンボルごとの平均電力を補正するための電力補正手段と、
前記複数のＯＦＤＭシンボルごとの平均電力補正値を前記受信機に通知するための通知情報を生成する通知情報生成部と、
前記通知情報を前記送信アンテナから前記受信アンテナに送信するための送信手段と
を有し、
前記受信機は、
前記受信アンテナを介して前記送信機からの受信信号を取得する受信手段と、
前記受信信号に含まれる通知情報に基づき、前記複数のＯＦＤＭシンボルごとの平均電力補正値を取得するとともに、取得した平均電力補正値に基づき、前記受信信号に補正を与えて各サブキャリアの情報を復元するための基準情報を算出する基準情報算出部と
を有することを特徴とするＯＦＤＭ通信装置。
【請求項２】
前記送信機は、前記複数のＯＦＤＭシンボルを含む１フレーム分の送信時間信号をバッファリングする時間信号バッファを有し、
前記ＰＡＰＲ算出部は、前記１フレーム内のすべてのＯＦＤＭシンボルのＰＡＰＲ情報を算出し、
前記電力補正手段は、
前記複数のＯＦＤＭシンボルごとの平均電力補正値を生成する制御信号生成部と、
前記平均電力補正値を用いて前記複数のＯＦＤＭシンボルごとの平均電力を補正する平均電力補正部と、を含み、
前記送信手段は、送信フレーム内の規定位置に、同フレーム内のすべてのＯＦＤＭ信号の通知情報をまとめて挿入するＧＩ付加部を含み、
前記受信機内の基準情報算出部は、
前記送信フレーム内の規定位置に挿入された通知情報を取得し、
取得した通知情報から、前記複数のＯＦＤＭシンボルごとの平均電力補正値を算出し、
算出した前記平均電力補正値に基づいて前記各サブキャリアの情報を復元することを特徴とする請求項１に記載のＯＦＤＭ通信装置。
【請求項３】
前記ＰＡＰＲ算出部は、前記複数のＯＦＤＭシンボルを単位として前記ＰＡＰＲ情報を算出し、
前記電力補正手段は、前記複数のＯＦＤＭシンボルを単位として前記平均電力補正値を生成する制御信号生成部を含み、
前記受信機内の基準情報算出部は、前記複数のＯＦＤＭシンボルを単位として、前記平均電力補正値を取得し、前記受信信号を補正することを特徴とする請求項１に記載のＯＦＤＭ通信装置。
【請求項４】
前記送信機は、
各サブキャリア上に配置された信号を時間領域信号に変換するＩＦＦＴ部と、
前記通知情報生成部からの通知情報をＮ−ＯＦＤＭシンボル遅延させる第１のＮ−ＯＦＤＭシンボル遅延部と、を有し、
前記第１のＮ−ＯＦＤＭシンボル遅延部は、前記ＩＦＦＴ部において、前記通知情報をＮ−ＯＦＤＭシンボル後のＯＦＤＭシンボルの規定サブキャリアに配置し、
前記受信機は、前記受信信号に含まれるデータ部の受信情報をＮ−ＯＦＤＭシンボル遅延させる第２のＮ−ＯＦＤＭシンボル遅延部を有し、
前記受信機内の基準情報算出部は、
Ｎ−ＯＦＤＭシンボル後の特定のサブキャリアから通知情報を取得し、
取得した通知情報に基づく平均電力補正値を用いて、Ｎ−ＯＦＤＭシンボル前のデータ部を補正し、前記各サブキャリアの情報を復元することを特徴とする請求項１に記載のＯＦＤＭ通信装置。
【請求項５】
前記ＰＡＰＲ算出部は、前記複数のＯＦＤＭシンボルを単位として前記ＰＡＰＲ情報を算出し、
前記電力補正手段は、前記複数のＯＦＤＭシンボルを単位として前記平均電力補正値を生成する制御信号生成部を含み、
前記受信機内の基準情報算出部は、前記複数のＯＦＤＭシンボルを単位として、前記平均電力補正値を取得し、前記受信信号を補正することを特徴とする請求項４に記載のＯＦＤＭ通信装置。
【請求項６】
前記送信機は、
各サブキャリア上に配置された信号を時間領域信号に変換するＩＦＦＴ部と、
前記通知情報生成部からの通知情報をＮ−ＯＦＤＭシンボル遅延させる第１のＮ−ＯＦＤＭシンボル遅延部と、
前記第１のＮ−ＯＦＤＭシンボル遅延部からの通知情報に基づいて、送信すべきパイロットパターンを選択するパイロットパターン選択部と、を有し、
前記パイロットパターン選択部は、前記ＩＦＦＴ部において、選択したパイロットパターンとＮ−ＯＦＤＭシンボル後の送信データとを同一ＯＦＤＭシンボルに配置し、
前記受信機は、
前記受信信号に含まれるデータ部の受信情報をＮ−ＯＦＤＭシンボル遅延させる第２のＮ−ＯＦＤＭシンボル遅延部と、
Ｎ−ＯＦＤＭシンボル後のパイロットパターンを検出するパイロットパターン検出部と、を有し、
前記受信機内の基準情報算出部は、
Ｎ−ＯＦＤＭシンボル後のパイロットパターンから通知情報を取得し、
取得した通知情報に基づく平均電力補正値を用いて、Ｎ−ＯＦＤＭシンボル前のデータ部を補正し、前記各サブキャリアの情報を復元することを特徴とする請求項１に記載のＯＦＤＭ通信装置。
【請求項７】
複数の送信アンテナを有する送信機と受信アンテナを有する受信機との間でＯＦＤＭ通信を行うＯＦＤＭ通信装置において、
前記送信機は、
２以上の整数Ｌ個の信号系列を、２以上の整数Ｍ個の送信アンテナを用いて前記受信機に送信するために、
前記Ｌ個の送信系列ごとに複数の第１の送信時間信号を生成して重み付け処理および合成処理を行い、前記Ｍ個の送信アンテナごとに個別の第２の送信時間信号を生成する時間信号生成手段と、
前記Ｍ個の送信アンテナごとに各ＯＦＤＭシンボルの時間波形のＰＡＰＲ情報を算出するＰＡＰＲ算出部と、
前記ＰＡＰＲ算出部により算出されたＭ個のＰＡＰＲ情報の最大値に基づいて、前記Ｍ個の送信アンテナの前記各ＯＦＤＭシンボルの平均電力を補正する電力補正手段と、
前記各ＯＦＤＭシンボルの平均電力補正値を前記受信機に通知するための通知情報を生成する通知情報生成部と、
前記通知情報を前記Ｍ個の送信アンテナから前記受信アンテナに送信するための送信手段と
を有し、
前記受信機は、
前記受信アンテナを介して前記送信機からの受信信号を取得する受信手段と、
前記受信信号に含まれる通知情報に基づき、前記各ＯＦＤＭシンボルの平均電力補正値を取得するとともに、取得した平均電力補正値に基づき、前記受信信号に補正を与えて各サブキャリアの情報を復元するための基準情報を算出する基準情報算出部と
を有することを特徴とするＯＦＤＭ通信装置。
【請求項８】
前記送信機は、前記Ｍ個の送信アンテナごとに対応したＭ個のアンテナ制御回路を備え、
前記Ｍ個のアンテナ制御回路の各々は、前記各ＯＦＤＭシンボルを含む１フレーム分の送信時間信号をバッファリングする時間信号バッファを有し、
前記ＰＡＰＲ算出部は、前記１フレーム内のすべてのＯＦＤＭシンボルのＰＡＰＲ情報を算出し、
前記電力補正手段は、
前記各ＯＦＤＭシンボルの平均電力補正値を生成する制御信号生成部と、
前記平均電力補正値を用いて前記各ＯＦＤＭシンボルの平均電力を補正する平均電力補正部と、を含み、
前記送信手段は、送信フレーム内の規定位置に、同フレーム内のすべてのＯＦＤＭ信号の通知情報をまとめて挿入するＧＩ付加部を含み、
前記受信機内の基準情報算出部は、
前記送信フレーム内の規定位置に挿入された通知情報を取得し、
取得した通知情報から、前記複数のＯＦＤＭシンボルごとの平均電力補正値を算出し、
算出した前記平均電力補正値に基づいて前記各サブキャリアの情報を復元することを特徴とする請求項７に記載のＯＦＤＭ通信装置。
【請求項９】
前記送信機は、
前記Ｌ個の送信系列ごとに対応したＬ個の送信制御回路と、
前記Ｍ個の送信アンテナごとに対応したＭ個のアンテナ制御回路と、を備え、
前記Ｌ個の送信制御回路の各々は、各サブキャリア上に配置された信号を時間領域信号に変換するＩＦＦＴ部を有し、
前記Ｍ個のアンテナ制御回路の各々は、前記通知情報生成部からの通知情報をＮ−ＯＦＤＭシンボル遅延させる第１のＮ−ＯＦＤＭシンボル遅延部を有し、
前記第１のＮ−ＯＦＤＭシンボル遅延部は、前記ＩＦＦＴ部において、前記通知情報をＮ−ＯＦＤＭシンボル後のＯＦＤＭシンボルの規定サブキャリアに配置し、
前記受信機は、前記受信信号に含まれるデータ部の受信情報をＮ−ＯＦＤＭシンボル遅延させる第２のＮ−ＯＦＤＭシンボル遅延部を有し、
前記受信機内の基準情報算出部は、
Ｎ−ＯＦＤＭシンボル後の特定のサブキャリアから通知情報を取得し、
取得した通知情報に基づく平均電力補正値を用いて、Ｎ−ＯＦＤＭシンボル前のデータ部を補正し、前記各サブキャリアの情報を復元することを特徴とする請求項７に記載のＯＦＤＭ通信装置。
【請求項１０】
前記送信機は、
前記Ｌ個の送信系列ごとに対応したＬ個の送信制御回路と、
前記Ｍ個の送信アンテナごとに対応したＭ個のアンテナ制御回路と、を備え、
前記Ｌ個の送信制御回路の各々は、各サブキャリア上に配置された信号を時間領域信号に変換するＩＦＦＴ部を有し、
前記Ｍ個のアンテナ制御回路の各々は、
前記通知情報生成部からの通知情報をＮ−ＯＦＤＭシンボル遅延させる第１のＮ−ＯＦＤＭシンボル遅延部と、
前記第１のＮ−ＯＦＤＭシンボル遅延部からの通知情報に基づいて、送信すべきパイロットパターンを選択するパイロットパターン選択部と、を有し、
前記パイロットパターン選択部は、前記ＩＦＦＴ部において、選択したパイロットパターンとＮ−ＯＦＤＭシンボル後の送信データとを同一ＯＦＤＭシンボルに配置し、
前記受信機は、
前記受信信号に含まれるデータ部の受信情報をＮ−ＯＦＤＭシンボル遅延させる第２のＮ−ＯＦＤＭシンボル遅延部と、
Ｎ−ＯＦＤＭシンボル後のパイロットパターンを検出するパイロットパターン検出部と、を有し、
前記受信機内の基準情報算出部は、
Ｎ−ＯＦＤＭシンボル後のパイロットパターンから通知情報を取得し、
取得した通知情報に基づく平均電力補正値を用いて、Ｎ−ＯＦＤＭシンボル前のデータ部を補正し、前記各サブキャリアの情報を復元することを特徴とする請求項７に記載のＯＦＤＭ通信装置。
【請求項１１】
前記送信機は、
送信情報から符号化されたデータを生成する符号化部と、
前記符号化部により符号化されたデータを変調してシンボル情報を生成する変調部と
を備え、
前記変調部は、前記通知情報を含むＯＦＤＭシンボルに対してはＰＳＫ系の変調方式を適用し、
前記送信機内の電力補正手段は、
前記通知情報を含むＯＦＤＭシンボルに平均電力補正処理を適用し、
前記通知情報を含むＯＦＤＭシンボルの平均電力補正値の前記受信機への通知を禁止することを特徴とする請求項２に記載のＯＦＤＭ通信装置。
【請求項１２】
前記送信機は、適応変調機能を有する変調部を備え、
前記変調部は、ＰＳＫ系の変調方式を適用した場合には、前記通知情報の生成および伝送を禁止し、ＱＡＭ系の変調方式を適用した場合には、前記通知情報の生成および伝送を行うことを特徴とする請求項１に記載のＯＦＤＭ通信装置。
【発明の詳細な説明】
【技術分野】
【０００１】
この発明は、高効率の無線通信を実現するためのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重方式）通信装置に関するものである。
【背景技術】
【０００２】
近年、無線通信に対する高速化要求の増大にともなって、都市内部または屋内での反射波の影響を抑制することのできるＯＦＤＭ通信方式が注目を集めている。
ＯＦＤＭにおいては、複数の直交する正弦波を用いて通信が行われるので、送信時間波形が雑音に近い特徴を有し、平均電力に対するピーク電力値（ＰＡＰＲ：Ｐｅａｋ  ｐｏｗｅｒ  ａｎｄ  Ａｖｅｒａｇｅ  Ｐｏｗｅｒ  Ｒａｔｉｏ）が大きくなるという問題点がある。
【０００３】
また、送信機内のＨＰＡ（Ｈｉｇｈ  Ｐｏｗｅｒ  Ａｍｐｌｉｆｉｅｒ）は、最大送信電力があらかじめ決まっていることから、大きなＰＡＰＲ値を有する信号を送信しようとした場合には、平均電力を下げざるを得ない。逆に、平均送信電力を大きくしようとした場合には、ＨＰＡの最大送信電力も大きい値に設定する必要があり、消費電力および製造コストの観点から非常に課題が大きい。
【０００４】
従来から、上記課題に鑑みて、ＰＡＰＲ値を低減するＯＦＤＭ通信装置が種々提案されている（たとえば、特許文献１、特許文献２、非特許文献１参照）。
特許文献１に記載の従来装置においては、時間波形のピーク部分を減算するために、減算すべき時間波形を決定し、同信号を周波数軸上で作り出してＩＦＦＴ前に減算を行う方式が適用されている。
【０００５】
また、特許文献２に記載の従来装置においては、不特定信号であるデータと既知信号であるパイロットとを同一のＯＦＤＭシンボルで送信する場合に、データに応じてＰＡＰＲ値を低減するパイロットパターン（パイロット信号に特定の位相回転を適用）する方式が適用されている。
特許文献１および特許文献２に記載の従来装置においては、いずれも送信信号（時間軸・周波数軸）を操作して、ＰＡＰＲ値の低い送信信号を作り出すことを目的としている。
【０００６】
一方、非特許文献１に記載の従来装置においては、送信信号のＰＡＰＲ値を抑圧することはせずに、ＯＦＤＭシンボルごとに、ＰＡＰＲ値に応じて送信アンプに導入する平均電力値を変化させる技術が開示されている。
【０００７】
ＯＦＤＭ信号は、すべてのＯＦＤＭシンボルが高いＰＡＰＲ値を有するわけではなく、送信データの組み合わせによって、まれに大きなＰＡＰＲ値のシンボルが発生することが知られている。したがって、各シンボルのピーク電力値を送信アンプの最大送信電力値に合わせて伝送を行うことにより、信号歪み低減と平均送信電力増加との両方を実現することができる。
【０００８】
すなわち、非特許文献１に記載の従来装置においては、ＰＡＰＲ値の大きなＯＦＤＭシンボルは平均電力を抑圧し、ＰＡＰＲ値の小さなＯＦＤＭシンボルは平均電力を上げて送信することにより、上述したＯＦＤＭの課題を克服することを目的としている。
【先行技術文献】
【特許文献】
【０００９】
【特許文献１】特開２００５−３２２９９８号公報
【特許文献２】特開２００６−１９７３１９号公報
【非特許文献】
【００１０】
【非特許文献１】神谷、前原、小野寺著、「ＳＮＤＲに基づく送信電力制御を用いたＯＦＤＭ非線形ひずみ抑圧方式」、２００９年電子情報通信学会総合大会、Ｂ−５−７１、２００９年３月
【発明の概要】
【発明が解決しようとする課題】
【００１１】
従来技術のＯＦＤＭ通信装置は、非特許文献１に記載の技術の場合、ＯＦＤＭシンボルごとに平均送信電力が異なることから、受信機で振幅がＯＦＤＭシンボルごとに変化するので、特に高速通信に必要となるＱＡＭ（Ｑｕａｄｒａｔｕｒｅ  Ａｍｐｌｉｔｕｄｅ  Ｍｏｄｕｌａｔｉｏｎ）変調信号の復調が困難となり、結局は高効率化を達成することができないという課題があった。
【００１２】
この発明は、上記のような課題を解決するためになされたものであり、非特許文献１のアイデアを実用化可能にすることにより、低コストで高い送信電力を実現した高効率のＯＦＤＭ通信装置を得ることを目的とする。
【課題を解決するための手段】
【００１３】
この発明に係るＯＦＤＭ通信装置は、送信アンテナを有する送信機と受信アンテナを有する受信機との間でＯＦＤＭ通信を行うＯＦＤＭ通信装置において、送信機は、複数のＯＦＤＭシンボルごとの時間波形のＰＡＰＲ情報（ＰＡＰＲ値）を算出するＰＡＰＲ算出部と、ＰＡＰＲ情報に基づいて複数のＯＦＤＭシンボルごとの平均電力を補正するための電力補正手段と、複数のＯＦＤＭシンボルごとの平均電力補正値を受信機に通知するための通知情報を生成する通知情報生成部と、通知情報を送信アンテナから受信アンテナに送信するための送信手段とを有し、受信機は、受信アンテナを介して送信機からの受信信号を取得する受信手段と、受信信号に含まれる通知情報に基づき、複数のＯＦＤＭシンボルごとの平均電力補正値を取得するとともに、取得した平均電力補正値に基づき、受信信号に補正を与えて各サブキャリアの情報を復元するための基準情報を算出する基準情報算出部とを有するものである。
【発明の効果】
【００１４】
この発明によれば、低コストで高い送信電力を実現することができる。
【図面の簡単な説明】
【００１５】
【図１】この発明の実施の形態１に係るＯＦＤＭ通信装置の送信機を示すブロック構成図である。
【図２】この発明の実施の形態１に係るＯＦＤＭ通信装置の受信機を示すブロック構成図である。
【図３】図１内の平均電力補正部の動作を示す説明図である。
【図４】この発明の実施の形態２に係るＯＦＤＭ通信装置の送信機を示すブロック構成図である。
【図５】この発明の実施の形態２に係るＯＦＤＭ通信装置の受信機を示すブロック構成図である。
【図６】この発明の実施の形態３に係るＯＦＤＭ通信装置の送信機を示すブロック構成図である。
【図７】この発明の実施の形態３に係るＯＦＤＭ通信装置の受信機を示すブロック構成図である。
【図８】この発明の実施の形態４に係るＯＦＤＭ通信装置の送信機を示すブロック構成図である。
【図９】この発明の実施の形態５に係るＯＦＤＭ通信装置で適用されるフレーム構成例を示す説明図である。
【発明を実施するための形態】
【００１６】
実施の形態１．
図１はこの発明の実施の形態１に係るＯＦＤＭ通信装置の送信機を示すブロック構成図である。また、図２はこの発明の実施の形態１に係るＯＦＤＭ通信装置の受信機を示すブロック構成図である。
【００１７】
図１において、送信機は、符号化部１と、変調部２と、シリアル／パラレル変換（Ｓ／Ｐ）部３と、ＩＦＦＴ部４と、時間信号バッファ５と、ＰＡＰＲ算出部６と、制御信号生成部７と、通知情報生成部８と、平均電力補正部９と、切替スイッチＱ１と、ＧＩ付加部１０と、ＨＰＡ（高電力増幅器）１１と、送信アンテナ１２とを備えている。
【００１８】
符号化部１は、送信情報Ｓ１を誤り訂正用符号に変換して、符号化されたデータを生成し、変調部２は、符号化されたデータを変調してシンボル情報を生成する。
Ｓ／Ｐ部３は、変調されたシンボル情報をシリアル／パラレル変換して、複数（たとえば、１１個）の各サブキャリア上に配置する。
【００１９】
ＩＦＦＴ部４は、各サブキャリア上に配置された信号を時間領域信号に変換し、時間信号バッファ５は、１バースト分の時間信号を保持し、ＯＦＤＭシンボルを送信するための時間信号（送信時間信号）Ｓ２を生成する。
ＰＡＰＲ算出部６は、ＯＦＤＭシンボルの送信時間信号Ｓ２から１バースト内の各ＯＦＤＭシンボルのＰＡＰＲ情報（ＰＡＰＲ値）Ｓ３を算出する。
【００２０】
制御信号生成部７は、ＰＡＰＲ情報Ｓ３から各ＯＦＤＭシンボルの平均電力補正値Ｓ４を決定し、通知情報生成部８は、各ＯＦＤＭシンボルの平均電力補正値Ｓ４を受信機に通知するための通知情報Ｓ６を生成する。
平均電力補正部９は、ＯＦＤＭシンボルの送信時間信号Ｓ２および平均電力補正値Ｓ４を用いて、各ＯＦＤＭシンボルの平均電力値を補正し、平均電力補正後の送信時間信号Ｓ５を生成する。
【００２１】
切替スイッチＱ１は、平均電力補正部９からの送信時間信号Ｓ５と、通知情報生成部８からの通知情報Ｓ６と、を時系列的に切替えてＧＩ付加部１０に入力する。
ＧＩ付加部１０は、通知情報Ｓ６と平均電力補正後の送信時間信号Ｓ５とに、それぞれガードインターバル（ＧＩ）を付加して、ＨＰＡ１１に入力する。
送信アンテナ１２は、ＨＰＡ１１を介して増幅されたデータ信号を外部に送信する。
【００２２】
図２において、受信機は、受信アンテナ２０と、低雑音増幅器２１と、ＧＩ削除部２２と、ＦＦＴ部２３と、パラレル／シリアル変換（Ｐ／Ｓ）２４と、時間・周波数同期部２５と、基準情報算出部２６と、切替スイッチＱ２と、検波部２７と、メトリック算出部２８と、誤り訂正部２９とを備えている。
【００２３】
受信アンテナ２０は、外部からの受信信号Ｓ２０を取得して低雑音増幅器２１に入力し、低雑音増幅器２１は、受信信号Ｓ２０を増幅して、ＧＩ削除部２２および時間・周波数同期部２５に入力する。
時間・周波数同期部２５は、増幅された受信信号Ｓ２０に基づいて同期情報を生成し、ＧＩ削除部２２に入力する。
【００２４】
ＧＩ削除部２２は、時間・周波数同期部２５からの同期情報を用いて、受信信号Ｓ２０に周波数補正・ＦＦＴ窓切り出しを行い、ＦＦＴ部２３は、切り出された時間信号を周波数領域の信号に変換する。
【００２５】
Ｐ／Ｓ部２４は、各サブキャリアの信号をパラレル／シリアル変換して、ＯＦＤＭシンボルごとの受信情報Ｓ２１、Ｓ２３を時系列的に生成する。ここで、受信情報Ｓ２１は、制御情報部に対応し、受信情報Ｓ２３は、データ部に対応する。
【００２６】
切替スイッチＱ２は、Ｐ／Ｓ部２４からの受信情報Ｓ２１、Ｓ２３を時系列的に切替えて、受信情報（制御情報部）Ｓ２１を基準情報算出部２６に入力し、受信情報（データ部）Ｓ２３を検波部２７に入力する。
【００２７】
基準情報算出部２６は、受信情報（制御情報部）Ｓ２１から各ＯＦＤＭシンボルの基準情報Ｓ２２を生成し、検波部２７は、基準情報Ｓ２２を用いて受信情報（データ部）Ｓ２３を検波する。
メトリック算出部２８は、検波後のデータ部情報から各ビットのメトリック情報を生成し、誤り訂正部２９は、メトリック情報に誤り訂正を適用して、誤り訂正後の受信機出力Ｓ２４を生成する。
【００２８】
次に、図３を参照しながら、図１および図２に示したこの発明の実施の形態１に係るＯＦＤＭ通信装置の具体的な動作について説明する。
図３は図１内の平均電力補正部９の動作を示す説明図であり、平均電力補正処理の実行前後における時間信号の関係を示している。
【００２９】
まず、図１（送信系）において、送信機に入力される１バースト分の送信情報Ｓ１は、一般的なＯＦＤＭ送信機と同様に、符号化部１による誤り訂正符号化処理と、変調部２による変調処理と、Ｓ／Ｐ部３によるサブキャリアマッピング処理および周波数領域から時間領域への変換処理と、が施された後、時間信号バッファ５に保持される。
【００３０】
ＰＡＰＲ算出部６は、時間信号バッファ５内の各ＯＦＤＭシンボルの送信時間信号Ｓ２を監視し、ＯＦＤＭシンボルごとのＰＡＰＲ情報Ｓ３を算出する。
制御信号生成部７は、ＰＡＰＲ情報Ｓ３に基づき、各ＯＦＤＭシンボルの平均電力補正値Ｓ４を生成する。なお、平均電力補正値Ｓ４の生成方法としては、様々なパターンが考えられるが、以下にその一例を示す。
【００３１】
ここで、送信アンプ（送信回路）の性能から決定される最大送信電力をＰｍａｘ、平均電力補正前の各ＯＦＤＭシンボル時間信号の平均電力をＰａｖｅ（ｋ）、ＰＡＰＲ情報Ｓ３の値をＲ（ｋ）とし、ＯＦＤＭシンボル番号をｋとする。
一般的には、平均電力補正前のＯＦＤＭシンボルの平均電力Ｐａｖｅ（ｋ）は、すべてのＯＦＤＭシンボルにわたって等しい値である。
【００３２】
このとき、各ＯＦＤＭシンボルの平均電力補正値Ｓ４の演算値Ｃ（ｋ）は、ピーク電力が最大送信電力Ｐｍａｘとなるように、たとえば、以下の式（１）のように選択される。
【００３３】
【数１】
2010283480.tif 000003
【００３４】
なお、平均電力補正値Ｓ４の演算値Ｃ（ｋ）は、式（１）の決定法に制限されるものではない。
【００３５】
通知情報生成部８は、ＯＦＤＭシンボルごとの平均電力補正値Ｓ４に基づき、各ＯＦＤＭシンボルの平均電力補正値Ｓ４を受信機に伝えるための通知情報Ｓ６を生成する。
なお、通知情報Ｓ６は、他の通知情報（変調方式や符号化率など）と組み合わされて、１つのＯＦＤＭシンボルとして生成されてもよい。
【００３６】
平均電力補正部９は、平均電力補正前のＯＦＤＭシンボルｋの送信時間信号Ｓ２（時間信号
【数２】
2010283480.tif 000004
）に対して、平均電力補正値Ｓ４（＝Ｃ（ｋ））を用いて平均電力補正処理を実行し、平均電力補正後の送信時間信号Ｓ５（時間信号
【数３】
2010283480.tif 000005
）を生成する。
一例としては、以下の式（２）により、送信時間信号Ｓ５が算出される。
【００３７】
【数４】
2010283480.tif 000006
【００３８】
図３は平均電力補正部９による補正処理前後での時間信号を示しており、上段は平均電力補正前（Ｃ（ｋ）：点線参照＝１．０）の時間波形を示し、下段は各ＯＦＤＭシンボルに平均電力補正（Ｃ（ｋ）＞１．０、Ｃ（ｋ）＜１．０）を適用した結果を示している。
【００３９】
図３において、ＰＡＰＲ情報（ＰＡＰＲ値）は、各ＯＦＤＭシンボルに応じて異なるので、３個のＯＦＤＭシンボル（＃１〜＃３）のうち、＃１（ｋ＝１）はＰＡＰＲ中（＜最大電力）、＃２（ｋ＝２）はＰＡＰＲ大（＞最大電力）、＃３（ｋ＝３）はＰＡＰＲ小（＜＜最大電力）として例示している。
上段（補正前）においては、各ＯＦＤＭシンボルの平均電力値（実線参照）が等しく、ＰＡＰＲ情報が異なる状態である。
【００４０】
一方、下部（補正後）においては、最大電力がＰｍａｘよりも小さいＯＦＤＭシンボル＃１、＃３は、Ｃ（ｋ）＞１．０となって平均電力が増幅され、最大電力＝Ｐｍａｘとなる。このとき、増幅の度合いは、ＯＦＤＭシンボル＃１よりもＰＡＰＲ情報の小さいＯＦＤＭシンボル＃３の方が大きい。
また、最大電力がＰｍａｘよりも大きいＯＦＤＭシンボル＃２は、Ｃ（ｋ）＜１．０となり、平均電力補正値Ｓ４（＝Ｃ（ｋ））によって平均電力が抑圧される。
【００４１】
以下、ＧＩ付加部１０は、規定のフレームフォーマットにしたがう切替スイッチＱ２を介して、通知情報Ｓ６と、平均電力補正後のデータ部の送信時間信号Ｓ５とを選択し、それぞれにガードインターバル（ＧＩ）を付加する。
ＧＩが付加された１バースト分の信号は、ＨＰＡ１１で増幅された後、送信アンテナ１２から送信される。
【００４２】
次に、図２（受信系）において、受信アンテナ２０により受信された受信信号Ｓ２０は、低雑音増幅器２１で増幅された後、時間・周波数同期部２５に入力される。
時間・周波数同期部２５は、送信機と受信機との間のタイミング同期および周波数同期を行い、同期情報を生成する。
【００４３】
ＧＩ削除部２２は、同期情報に基づき、受信情報Ｓ２０に対して周波数補正処理およびＦＦＴ窓の切り出し処理を行い、ＦＦＴ部２３は、ＧＩ削除部２２により切り出された時間信号に対して、時間領域→周波数領域の変換を行う。
【００４４】
Ｐ／Ｓ部２４は、ＦＦＴ部２３からの変換信号をＰ／Ｓ処理して、各ＯＦＤＭシンボルの受信情報Ｓ２１（制御情報部）、Ｓ２３（データ部）を出力する。
このとき、受信情報（制御情報部）Ｓ２１には、パイロット信号などから得られる従来の伝送路情報に加えて、各ＯＦＤＭシンボルの電力補正情報が含まれる。
【００４５】
基準情報算出部２６は、従来の伝送路情報に加えて、受信情報（制御情報部）Ｓ２１に含まれる受信情報Ｓ２１を用いて、各ＯＦＤＭシンボル内の各サブキャリアの基準情報Ｓ２２を生成する。
【００４６】
検波部２７は、電力補正を考慮した基準情報Ｓ２２を用いて、受信情報（データ部）Ｓ２３を検波し、メトリック算出部２８は、各ビットのメトリック情報を生成する。
最後に、誤り訂正部２９は、メトリック情報に対して誤り訂正処理を施し、受信機出力Ｓ２４を生成する。
【００４７】
なお、上記説明では、送信機（図１）において、通知情報Ｓ６がデータとともに時間多重されて伝送される例を示したが、周波数多重、符号多重など、別の多重方式で伝送されてもよい。
また、ＰＡＰＲ情報の測定、平均電力補正の単位は、ＯＦＤＭシンボルごとである必要はなく、複数のＯＦＤＭシンボルを単位として上記方式を適用してもよい。
【００４８】
さらに、平均電力補正値Ｓ４は、必ずしも連続的な値である必要はなく、Ｍ段階の離散的な値であってもよい。この場合、通知情報Ｓ６を含むＯＦＤＭシンボルは、あらかじめ決められた平均電力で送信される。
【００４９】
以上のように、この発明の実施の形態１に係るＯＦＤＭ通信装置の送信機（図１）は、複数のＯＦＤＭシンボルごとの時間波形のＰＡＰＲ情報Ｓ３を算出するＰＡＰＲ算出部と、ＰＡＰＲ情報Ｓ３に基づいて複数のＯＦＤＭシンボルごとの平均電力を補正するための電力補正手段（制御信号生成部７、平均電力補正部９）と、複数のＯＦＤＭシンボルごとの平均電力補正値Ｓ４を受信機に通知するための通知情報Ｓ６を生成する通知情報生成部８と、通知情報Ｓ６を送信アンテナ１２から受信アンテナ２０に送信するための送信手段（ＧＩ付加部１０、ＨＰＡ１１）と、を備えている。
【００５０】
また、この発明の実施の形態１に係るＯＦＤＭ通信装置の受信機（図２）は、受信アンテナ２０を介して送信機からの受信信号Ｓ２０を取得する受信手段（低雑音増幅器２１、ＧＩ削除部２２、時間・周波数同期部２５）と、受信信号２０に含まれる通知情報に基づき、複数のＯＦＤＭシンボルごとの平均電力補正値を取得するとともに、取得した平均電力補正値に基づき、受信信号に補正を与えて各サブキャリアの情報を復元するための基準情報Ｓ２２を算出する基準情報算出部２６と、を備えている。
【００５１】
すなわち、ＯＦＤＭ通信を行うために、送信機は、各ＯＦＤＭシンボルの時間波形のＰＡＰＲ情報Ｓ３を算出する機能と、算出されたＰＡＰＲ情報Ｓ３に基づいて各ＯＦＤＭシンボルの平均電力を補正する機能と、各ＯＦＤＭシンボルの平均電力補正値Ｓ４を受信機に通知する機能とを備えており、受信機は、送信機から通知される各ＯＦＤＭシンボルの平均電力補正値を取得する機能と、取得した平均電力補正値に基づいて、受信信号Ｓ２０に補正を与えて各サブキャリアの情報を復元する機能とを備えている。
【００５２】
また、この発明の実施の形態１によれば、送信機は、複数のＯＦＤＭシンボルを含む１フレーム分の送信時間信号をバッファリングする時間信号バッファ５を備えており、ＰＡＰＲ算出部６は、１フレーム内のすべてのＯＦＤＭシンボルのＰＡＰＲ情報Ｓ３を算出する。
送信機内の電力補正手段は、複数のＯＦＤＭシンボルごとの平均電力補正値Ｓ４を生成する制御信号生成部７と、平均電力補正値Ｓ４を用いて複数のＯＦＤＭシンボルごとの平均電力を補正する平均電力補正部９とを有する。
送信手段は、送信フレーム内の規定位置に、同フレーム内のすべてのＯＦＤＭ信号の通知情報をまとめて挿入するＧＩ付加部１０を有する。
【００５３】
一方、受信機内の基準情報算出部２６は、送信フレーム内の規定位置に挿入された通知情報を取得し、取得した通知情報から、複数のＯＦＤＭシンボルごとの平均電力補正値を算出し、算出した平均電力補正値に基づいて各サブキャリアの情報を復元する。
【００５４】
すなわち、送信機は、１フレーム分の送信時間信号をバッファリングする機能と、１フレーム内のすべてのＯＦＤＭシンボルのＰＡＰＲ情報Ｓ３を算出する機能と、各ＯＦＤＭシンボルの平均電力補正値Ｓ４を生成する機能と、通知情報Ｓ６を生成する機能と、送信フレーム内の規定位置に、同フレーム内のすべてのＯＦＤＭ信号の通知情報をまとめて挿入して送信する機能とを備えている。
また、受信機は、フレーム内の規定位置に挿入された通知情報を取得する機能と、取得された通知情報から各ＯＦＤＭシンボルの平均電力補正値を算出し、平均電力補正値に基づいて各サブキャリアの情報を復元する機能とを備えている。
【００５５】
このように、この発明の実施の形態１によれば、送信機（図１）内に通知情報生成部８を設け、各ＯＦＤＭシンボルの平均電力補正値（補正情報）Ｓ４を、送信機から受信機に通知するように構成したので、各ＯＦＤＭシンボルを正確に復調（復元）することが可能となり、より高い信号対雑音電力比による信号伝送を実現することができ、低コストで高い送信電力を実現することができる。
また、受信機（図２）内に基準情報算出部２６を設けたので、送信機から取得した平均電力補正値に基づき、受信信号に補正を与えて各サブキャリアの情報を復元することができる。
【００５６】
さらに、前述のように、送信機内のＰＡＰＲ算出部６は、複数のＯＦＤＭシンボルを単位としてＰＡＰＲ情報を算出し、制御信号生成部７（電力補正手段）は、複数のＯＦＤＭシンボルを単位として平均電力補正値Ｓ４を生成し、受信機内の基準情報算出部２６は、複数のＯＦＤＭシンボルを単位として、平均電力補正値を取得して受信信号Ｓ２０を補正するように構成してもよい。
【００５７】
この場合、送信機は、複数のＯＦＤＭシンボルを単位として、ＰＡＰＲ情報Ｓ３を算出する機能と、平均電力を補正する機能と、通知情報Ｓ６を生成する機能とを備え、受信機は、複数のＯＦＤＭシンボルを単位として、平均電力補正値の取得する機能と、受信信号Ｓ２０の補正を行う機能とを備えている。
上記構成においても、同様の作用効果を奏することは言うまでもない。
【００５８】
実施の形態２．
なお、上記実施の形態１（図１、図２）では、１バースト分の電力補正情報を特定のＯＦＤＭシンボルで伝送したが、この構成では伝送遅延が大きくなるので、図４および図５のように、平均電力補正を行いつつ伝送遅延を抑制可能な構成としてもよい。
【００５９】
図４はこの発明の実施の形態２に係るＯＦＤＭ通信装置の送信機を示すブロック構成図であり、図５はこの発明の実施の形態２に係るＯＦＤＭ通信装置の受信機を示すブロック構成図である。
図４、図５において、前述（図１、図２参照）と同様のものについては、前述と同一符号を付して詳述を省略する。
【００６０】
図４（送信機）においては、前述の時間信号バッファ５および切替スイッチＱ１が省略されて、Ｎ−ＯＦＤＭシンボル遅延部３０が追加されている。
Ｎ−ＯＦＤＭシンボル遅延部３０は、通知情報Ｓ６をＮ−ＯＦＤＭシンボル遅延させて、遅延された通知情報（電力補正情報）Ｓ３０を生成し、ＩＦＦＴ部４に入力する。
【００６１】
一方、図５（受信機）においては、検波部２７の前段側にＮ−ＯＦＤＭシンボル遅延部３５が追加されている。
Ｎ−ＯＦＤＭシンボル遅延部３５は、Ｐ／Ｓ部２４からの受信情報（データ部）Ｓ２３を、Ｎ−ＯＦＤＭシンボル遅延させて検波部２７に入力する。
【００６２】
次に、図４および図５に示したこの発明の実施の形態２に係るＯＦＤＭ通信装置の具体的な動作について説明する。
この場合、各ＯＦＤＭシンボルの電力補正情報を伝送するために、特定のサブキャリアが割り当てられる。なお、割り当てられるサブキャリアの位置は、受信機で既知となる位置であれば、ＯＦＤＭシンボルごとに変化してもよい。
【００６３】
まず、図４（送信系）においては、前述と同様に、送信情報Ｓ１に対して、誤り訂正符号化処理、変調処理、サブキャリアマッピング処理が行われる。
ただし、サブキャリアマッピングに際して、一部（Ｎビット、たとえば、２ビット）のサブキャリアは、電力補正情報Ｓ３０の伝送に割り当てられており、データの伝送に割り当てられたサブキャリアのみにユーザデータをマッピングする。
【００６４】
ＩＦＦＴ部４は、サブキャリア上に配置された電力補正情報Ｓ３０とユーザデータとを、時間領域信号Ｓ３１に変換して、ＰＡＰＲ算出部６および平均電力補正部９に入力する。
ＰＡＰＲ算出部６は、ＯＦＤＭシンボルごとにＰＡＰＲ情報Ｓ３を算出し、制御信号生成部７は、ＰＡＰＲ情報Ｓ３から平均電力補正値Ｓ４を生成する。
【００６５】
平均電力補正部９は、前述と同様に、各ＯＦＤＭシンボルの時間領域信号Ｓ３１に対して、平均電力補正値Ｓ４を用いて平均電力補正を行い、平均電力補正後の送信時間信号Ｓ５を生成する。
平均電力補正後の送信時間信号Ｓ５は、ＧＩ付加部１０によりガードインターバル（ＧＩ）が付加され、ＨＰＡ１１で増幅された後、送信アンテナ１２から送信される。
【００６６】
通知情報生成部８は、ＯＦＤＭシンボルごとの平均電力補正値Ｓ４に基づき、各ＯＦＤＭシンボルの平均電力補正値Ｓ４を受信機に伝えるための通知情報Ｓ６を生成する。
通知情報Ｓ６は、Ｎ−ＯＦＤＭシンボル遅延部３０により、Ｎ−ＯＦＤＭシンボル遅延されて、遅延後の通知情報（電力補正情報）Ｓ３０となり、ＩＦＦＴ部４に入力される。
【００６７】
遅延後の電力補正情報Ｓ３０は、Ｎ−ＯＦＤＭシンボル後の送信情報とともにサブキャリアマッピングされ、ＩＦＦＴ部４により時間領域信号Ｓ３１に変換された後、ＧＩ付加部１０によりＧＩが付加され、さらに、ＨＰＡ１１で増幅された後、送信アンテナ１２から送信される。
【００６８】
次に、図５（受信系）において、受信アンテナ２０からＰ／Ｓ部２４までの動作は、前述（図２）と同様である。
この場合、Ｐ／Ｓ部２４からは、伝送路推定に用いられるパイロット情報と、各ＯＦＤＭシンボルに配置された電力補正情報（通知情報）とを含む受信情報Ｓ２１が、切替スイッチＱ２を介して基準情報算出部２６に入力され、基準情報算出部２６は、各ＯＦＤＭシンボルの基準情報Ｓ２２を算出する。
【００６９】
一方、Ｐ／Ｓ部２４からの受信情報（データ部）Ｓ２３は、切替スイッチＱ２を介してＮ−ＯＦＤＭシンボル遅延部３５に入力される。
Ｎ−ＯＦＤＭシンボル遅延部３５は、基準情報算出部２６の遅延に合わせて、受信情報（データ部）Ｓ２３をＮ−ＯＦＤＭシンボル遅延して検波部２７に入力し、検波部２７は、基準情報Ｓ２２によって検波を行う。
【００７０】
このとき、各ＯＦＤＭシンボルの平均電力補正値が、Ｎ−ＯＦＤＭシンボル後のＯＦＤＭシンボルに載せられているので、平均電力補正値とパイロット情報とによって、データ部の受信からＮ−ＯＦＤＭシンボル後に、基準情報Ｓ２２が生成される。
以下、メトリック算出部２８により、検波後の情報からメトリック情報が算出され、誤り訂正部２９により誤り訂正処理が施された後、受信機出力Ｓ２４が生成される。
【００７１】
なお、上記説明では、１個のＯＦＤＭシンボル単位の平均電力制御を記載したが、複数のＯＦＤＭシンボルを１ブロックとして、ブロック単位で平均電力を制御し、ブロック単位の平均電力補正情報の通知処理を実行してもよい。
この場合、通知情報は、電力補正前に取り出す必要があるので、振幅に依存しない変調方式（Ｐｈａｓｅ  Ｓｈｉｆｔ  Ｋｅｙｉｎｇ：ＰＳＫなど）を用いることが望ましい。
【００７２】
以上のように、この発明の実施の形態２に係るＯＦＤＭ通信装置の送信機（図４）は、各サブキャリア上に配置された信号を時間領域信号Ｓ３１に変換するＩＦＦＴ部４と、通知情報生成部８からの通知情報Ｓ６をＮ−ＯＦＤＭシンボル遅延させるＮ−ＯＦＤＭシンボル遅延部３０（第１のＮ−ＯＦＤＭシンボル遅延部）とを備えている。
Ｎ−ＯＦＤＭシンボル遅延部３０は、ＩＦＦＴ部４において、通知情報Ｓ６をＮ−ＯＦＤＭシンボル後のＯＦＤＭシンボルの規定サブキャリアに配置する。
【００７３】
また、この発明の実施の形態２に係るＯＦＤＭ通信装置の受信機（図５）は、受信信号Ｓ２０に含まれるデータ部の受信情報をＮ−ＯＦＤＭシンボル遅延させるＮ−ＯＦＤＭシンボル遅延部３５（第２のＮ−ＯＦＤＭシンボル遅延部）を備えている。
受信機内の基準情報算出部２６は、Ｎ−ＯＦＤＭシンボル後の特定のサブキャリアから通知情報（基準情報Ｓ２２）を取得し、取得した通知情報に基づく平均電力補正値を用いて、Ｎ−ＯＦＤＭシンボル前のデータ部を補正し、各サブキャリアの情報を復元する。
【００７４】
すなわち、送信機は、通知情報Ｓ６をＮ−ＯＦＤＭシンボル遅延させる機能と、Ｎ−ＯＦＤＭシンボル後の通知情報（遅延後の電力補正情報Ｓ３０）をＯＦＤＭシンボルの規定サブキャリアに配置して時間領域信号Ｓ３１を生成する機能とを備えている。
また、受信機は、データ部の受信情報をＮ−ＯＦＤＭシンボル遅延させる機能と、Ｎ−ＯＦＤＭシンボル後の特定のサブキャリアから通知情報（基準情報Ｓ２２）を取得する機能と、通知情報から取得された平均電力補正値を用いて、Ｎ−ＯＦＤＭシンボル前のデータ部を補正して各サブキャリアの情報を復元する機能とを備えている。
【００７５】
また、送信機内のＰＡＰＲ算出部６は、複数のＯＦＤＭシンボルを単位としてＰＡＰＲ情報Ｓ３を算出し、制御信号生成部７（電力補正手段）は、複数のＯＦＤＭシンボルを単位として平均電力補正値Ｓ４を生成する。
この場合、受信機内の基準情報算出部２６は、複数のＯＦＤＭシンボルを単位として、平均電力補正値を取得し、受信信号Ｓ２０を補正する。
【００７６】
すなわち、送信機は、複数のＯＦＤＭシンボルを単位として、ＰＡＰＲ情報Ｓ３を算出する機能と、平均電力を補正する機能と、通知情報Ｓ６を生成する機能とを備え、受信機は、複数のＯＦＤＭシンボルを単位として、平均電力補正値を取得して受信信号Ｓ２０を補正する機能を備えている。
【００７７】
これにより、この発明の実施の形態２（図４、図５）によれば、前述の実施の形態１と同様に、信号対雑音電力比を向上させることができ、低コストで高い送信電力を実現することができる。
また、各ＯＦＤＭシンボルの平均電力補正情報が、直後、または、Ｎ−ＯＦＤＭシンボル後の、ＯＦＤＭシンボルによって通知されるので、送信機において、１バースト分の時間信号を保持するための時間信号バッファ５（図１参照）が不要となるうえ、送信機の遅延を抑制することが可能となる。
【００７８】
実施の形態３．
なお、上記実施の形態２（図４、図５）では、各ＯＦＤＭシンボルの平均電力補正情報を特定のサブキャリアでデータとして伝送したが、図６および図７のように、ＯＦＤＭシンボル内に挿入されるパイロットパターンによって表現してもよい。
【００７９】
図６はこの発明の実施の形態３に係るＯＦＤＭ通信装置の送信機を示すブロック構成図であり、図７はこの発明の実施の形態３に係るＯＦＤＭ通信装置の受信機を示すブロック構成図である。
図６、図７において、前述（図４、図５参照）と同様のものについては、前述と同一符号を付して詳述を省略する。
【００８０】
図６（送信系）においては、Ｎ−ＯＦＤＭシンボル遅延部３０の後段にパイロットパターン選択部４０が追加されている。
パイロットパターン選択部４０は、遅延後の電力補正情報Ｓ３０に基づいて、各ＯＦＤＭシンボルに挿入される既知のパイロット信号（パイロットパターン）Ｓ４０を選択（または、算出）し、ＩＦＦＴ部４に入力する。
【００８１】
図７（受信系）においては、基準情報算出部２６の前段にパイロットパターン検出部４５が追加されている。
パイロットパターン検出部４５は、切替スイッチＱ２を介して、各ＯＦＤＭシンボルに挿入されたパイロット信号Ｓ４５を取り込み、パイロット信号Ｓ４５から、対応するパイロットパターンを推定し、各ＯＦＤＭシンボルの平均電力補正情報Ｓ４６を生成して基準情報算出部２６に入力する。
【００８２】
次に、図６および図７に示したこの発明の実施の形態３に係るＯＦＤＭ通信装置の具体的な動作について説明する。
この場合、各ＯＦＤＭシンボルの平均電力補正情報は、ＯＦＤＭシンボル内に挿入されるパイロットパターンによって表現される。
【００８３】
なお、平均電力補正値は、必ずしも連続的な値である必要はなく、離散的な値であってもよい。たとえば、８段階の電力補正をかける場合には、８通りのパイロットパターンを用意して、各ＯＦＤＭシンボルに挿入すればよい。
また、このパイロットパターンは、完全に決められたパターンである必要はなく、たとえば、既存のパイロット信号に特定の位相回転をかけるようなものであってもよい。
【００８４】
まず、図６（送信系）において、符号化部１、変調部２およびＳ／Ｐ部３の動作は、前述と同様である。
ＩＦＦＴ部４は、サブキャリアに配置されたデータと、パイロットパターン選択部４０からのパイロットパターンＳ４０と、を時間領域信号Ｓ３１に変換する。
【００８５】
ＰＡＰＲ算出部６は、各ＯＦＤＭシンボルのＰＡＰＲ情報Ｓ３を算出し、制御信号生成部７は、平均電力補正値Ｓ４を生成する。
平均電力補正部９は、各ＯＦＤＭシンボルに対し、平均電力補正値Ｓ４に基づいて電力補正を施す。以下、ＧＩ付加部１０によりガードインターバル（ＧＩ）が付加され、ＨＰＡ１１により増幅された後、送信アンテナ１２から送信される。
【００８６】
また、通知情報生成部８およびＮ−ＯＦＤＭシンボル遅延部３０は、前述と同様に、平均電力補正値Ｓ４から、遅延された電力補正情報Ｓ３０を生成する。
パイロットパターン選択部４０は、電力補正情報Ｓ３０に対応するパイロットパターンＳ４０を選択する。
パイロットパターンＳ４０に基づくパイロット信号（たとえば、３ビット）は、サブキャリア上に配置され、ＩＦＦＴ部４によって時間領域信号に変換される。
【００８７】
次に、図７（受信系）において、受信アンテナ２０からＰ／Ｓ部２４までの動作は、前述（図２、図５）と同様である。
この場合、Ｐ／Ｓ部２４の出力のうち、各ＯＦＤＭシンボルに配置されたパイロット信号Ｓ４５は、パイロットパターン検出部４５に送られ、挿入されたパイロットパターンの推定に寄与する。
【００８８】
パイロットパターン検出部４５は、パイロット信号Ｓ４５に基づくパイロットパターンの推定結果から、各ＯＦＤＭシンボルの平均電力補正情報Ｓ４６を算出する。
基準情報算出部２６は、伝播路推定情報と平均電力補正情報Ｓ４６とを用いて、各ＯＦＤＭシンボルの基準情報Ｓ２２を算出する。
【００８９】
検波部２７は、基準情報Ｓ２２を用いて、Ｎ−ＯＦＤＭシンボル遅延した受信信号を検波して、メトリック算出部２８に入力する。
以下、メトリック算出部２８によりメトリック情報の算出処理が行われ、さらに、誤り訂正部２９により誤り訂正処理が行われた後に、受信機出力Ｓ２４が生成される。
【００９０】
以上のように、この発明の実施の形態３に係るＯＦＤＭ通信装置の送信機（図６）は、各サブキャリア上に配置された信号を時間領域信号Ｓ３１に変換するＩＦＦＴ部４と、通知情報生成部８からの通知情報Ｓ６をＮ−ＯＦＤＭシンボル遅延させるＮ−ＯＦＤＭシンボル遅延部３０（第１のＮ−ＯＦＤＭシンボル遅延部）と、Ｎ−ＯＦＤＭシンボル遅延部３０からの通知情報（遅延後の電力補正情報Ｓ３０）に基づいて、送信すべきパイロットパターンを選択するパイロットパターン選択部Ｓ４０とを備えている。
パイロットパターン選択部４０は、ＩＦＦＴ部４において、選択したパイロットパターンとＮ−ＯＦＤＭシンボル後の送信データとを同一ＯＦＤＭシンボルに配置する。
【００９１】
また、この発明の実施の形態３に係るＯＦＤＭ通信装置の受信機（図７）は、受信信号Ｓ２０に含まれるデータ部の受信情報をＮ−ＯＦＤＭシンボル遅延させるＮ−ＯＦＤＭシンボル遅延部３５（第２のＮ−ＯＦＤＭシンボル遅延部）と、Ｎ−ＯＦＤＭシンボル後のパイロットパターン（平均電力補正情報Ｓ４６）を検出するパイロットパターン検出部４５とを備えている。
【００９２】
また、受信機内の基準情報算出部２６は、Ｎ−ＯＦＤＭシンボル後のパイロットパターンから通知情報（基準情報Ｓ２２）を取得し、取得した通知情報に基づく平均電力補正値を用いて、Ｎ−ＯＦＤＭシンボル前のデータ部を補正して各サブキャリアの情報を復元する。
【００９３】
すなわち、送信機は、通知情報Ｓ６をＮ−ＯＦＤＭシンボル遅延させる機能と、通知情報Ｓ６に基づいて、送信すべきパイロットパターンを選択（または、算出）する機能と、算出されたパイロットパターンとＮ−ＯＦＤＭシンボル後の送信データとを同一ＯＦＤＭシンボルに配置して時間領域信号Ｓ３１を生成する機能とを備えている。
【００９４】
また、受信機は、データ部の受信情報をＮ−ＯＦＤＭシンボル遅延させる機能と、Ｎ−ＯＦＤＭシンボル後のパイロットパターンから通知情報を取得する機能と、取得された平均電力補正値を用いて、Ｎ−ＯＦＤＭシンボル前のデータ部を補正して各サブキャリアの情報を復元する機能とを備えている。
【００９５】
これにより、この発明の実施の形態３（図６、図７）によれば、送信機において、平均電力補正値Ｓ４を受信機に通知するためにサブキャリアを割り当てる必要がなくなるので、ユーザデータのスループットを落とすことなく、高い信号対雑音電力比による通信を実現することができる。
【００９６】
実施の形態４．
なお、上記実施の形態１〜３では特に言及しなかったが、図８に示すように、送信機においてアダプティブアレーシステムに適用し、複数の信号系列（複数のユーザに対応）を空間多重して送信してもよい。
【００９７】
図８はこの発明の実施の形態４に係るＯＦＤＭ通信装置の送信機を示すブロック構成図であり、前述（図１参照）と同様のものについては、前述と同一符号を付して詳述を省略する。
図８においては、一例として、３系列の信号を空間多重して４系列の送信アンテナ１２から送信するシステム構成を示している。
【００９８】
図８において、送信機は、それぞれ同一構成からなる３系列の送信制御回路１０１〜１０３と、各送信制御回路１０１〜１０３の出力信号を加算する４個の加算器５１と、それぞれ同一構成からなる４系列のアンテナ制御回路２０１〜２０４と、４個の送信アンテナ１２と、各アンテナ制御回路２０１〜２０４に対して共通に設けられたＰＡＰＲ算出部６、制御信号生成部７および通知情報生成部８と、を備えている。
【００９９】
送信制御回路１０１〜１０３は、前述の符号化部１、変調部２、Ｓ／Ｐ部３およびＩＦＦＴ部４に加えて、ＩＦＦＴ部４の後段に挿入されたビーム制御部５０を備えている。
ビーム制御部５０は、ＩＦＦＴ部４からの時間領域信号に対して、レイヤごとに特定のビームフォーミングを行うための重み付けを行う。
【０１００】
各アンテナ制御回路２０１〜２０４内のビーム制御部５０から生成される４系列の送信時間信号Ｓ５１は、加算器５１により系列ごとに加算（合成）されて、４系列のアンテナ制御回路２０１〜２０４に個別に入力される。
【０１０１】
各アンテナ制御回路２０１〜２０４は、前述の時間信号バッファ５、平均電力補正部９，切替スイッチＱ１、ＧＩ付加部１０およびＨＰＡ１１を備えており、それぞれ、共有のＰＡＰＲ算出部６、制御信号生成部７および通知情報生成部８に関連している。
【０１０２】
一般に、アダプティブアレーシステムにおいては、複数の信号系列が重み付け合成されるので、ＣＤＭＡ（符号分割多元接続）システムと並んで、各送信アンテナ１２のＰＡＰＲが大きくなることが知られている。
図８の例では、方向制御が信号系列単位で行われているが、サブキャリア単位で行うことも可能である。その場合には、ＩＦＦＴ部４の後段ではなく、ＩＦＦＴ部４の前段にビーム制御部５０が挿入されることになる。
【０１０３】
次に、図８に示したこの発明の実施の形態４に係るＯＦＤＭ通信装置の具体的な動作について説明する。
まず、３系列の送信情報Ｓ１は、個別の送信制御回路１０１〜１０３に入力され、それぞれレイヤごとに、符号化、変調、Ｓ／Ｐ変換、ＩＦＦＴ処理が施され、前述と同様の時間信号に変換される。
【０１０４】
次に、ビーム制御部５０は、レイヤごとに特定のビームフォーミングを行うための重み付けを行い、各送信アンテナ１２の送信時間信号Ｓ５１を生成する。
各レイヤからの送信時間信号Ｓ５１は、加算器５１により４系列の送信アンテナ１２ごとに加算され、各アンテナ制御回路２０１〜２０４内の時間信号バッファ５に送られる。
【０１０５】
各アンテナ制御回路２０１〜２０４に関連したＰＡＰＲ算出部６は、すべての送信アンテナ１２のＰＡＰＲを集計し、その最大値をＰＡＰＲ情報Ｓ３として出力する。
また、制御信号生成部７は、ＰＡＰＲ情報Ｓ３に基づいて平均電力補正値Ｓ４を生成し、通知情報生成部８に入力するとともに、各送信アンテナ１２のアンテナ制御回路２０１〜２０４内の平均電力補正部９に入力する。この平均電力補正値Ｓ４は、すべての送信アンテナ１２について同一値である。
【０１０６】
次に、通知情報生成部８は、平均電力補正値Ｓ４に対応する通知情報Ｓ６を生成し、データ部と同様のビームフォーミングのための重み付け処理を適用して、各送信アンテナのアンテナ制御回路２０１〜２０４に入力する。
【０１０７】
アンテナ制御回路２０１〜２０４において、ＧＩ付加部１０は、規定のフレームフォーマットにしたがい、切替スイッチＱ１を介して、通知情報Ｓ６と、平均電力補正後のデータ部の送信時間信号Ｓ５とを選択し、ガードインターバル（ＧＩ）を付加する。
【０１０８】
以下、ＧＩが付加された１バースト分の信号（Ｓ５、Ｓ６）は、ＨＰＡ１１で増幅され、送信アンテナ１２から送信される。
なお、通知情報Ｓ６は、すべてのユーザ（図８の例では、３人のユーザ）に共通の情報であるので、必ずしもビームフォーミングを行う必要はない。
また、ここでは、送信機のみについて説明したが、受信機の動作については、前述の実施の形態１で説明した通りである。
【０１０９】
また、図８では、同時送信される信号が３系列であって、送信アンテナ１２の数が４個のアダプティブアレーシステムの例を示したが、たとえば、複数アンテナを用いて高速伝送を実現するＭＩＭＯ（Ｍｕｌｔｉ−Ｉｎｐｕｔ  Ｍｕｌｔｉ−Ｏｕｔｐｕｔ）システムのように、１つの送信機と１つの受信機との間で複数の信号系列が空間多重する構成であってもよい。その場合には、受信機で信号分離が行われた後、通知情報から得られる平均電力補正値に基づいて、受信信号の復元が行われる。
【０１１０】
さらに、ここでは、前述の実施の形態１のように、特定のＯＦＤＭシンボルで通知情報を送信する例を示したが、前述の実施の形態２、３のように、後続するＯＦＤＭシンボルのデータやパイロット信号によって通知情報を伝送してもよい。
【０１１１】
以上のように、この発明の実施の形態４に係るＯＦＤＭ通信装置の送信機（図８）は、２以上の整数Ｌ個（たとえば、３個）の信号系列を、２以上の整数Ｍ個（たとえば、４個）の送信アンテナ１２を用いて受信機に送信するために、Ｌ個の送信系列ごとに複数の第１の送信時間信号を生成して重み付け処理および合成処理を行い、Ｍ個の送信アンテナ１２ごとに個別の第２の送信時間信号を生成する時間信号生成手段（送信制御回路１０１〜１０３、加算器５１）を備えている。
【０１１２】
また、送信機（図８）は、Ｍ個の送信アンテナ１２ごとに各ＯＦＤＭシンボルの時間波形のＰＡＰＲ情報Ｓ３を算出するＰＡＰＲ算出部６と、ＰＡＰＲ算出部６により算出されたＭ個のＰＡＰＲ情報Ｓ３の最大値に基づいて、Ｍ個の送信アンテナ１２の各ＯＦＤＭシンボルの平均電力を補正する電力補正手段（制御信号生成部７、平均電力補正部９）と、各ＯＦＤＭシンボルの平均電力補正値Ｓ４を受信機に通知するための通知情報Ｓ６を生成する通知情報生成部８と、通知情報Ｓ６をＭ個の送信アンテナ１２から受信アンテナ２０に送信するための送信手段（ＧＩ付加部１０、ＨＰＡ１１）とを備えている。
【０１１３】
また、受信機（図２）は、受信アンテナ２０を介して送信機からの受信信号を取得する受信手段と、受信信号に含まれる通知情報に基づき、各ＯＦＤＭシンボルの平均電力補正値を取得するとともに、取得した平均電力補正値に基づき、受信信号に補正を与えて各サブキャリアの情報を復元するための基準情報Ｓ２２を算出する基準情報算出部２６とを備えている。
【０１１４】
すなわち、送信機（図８）は、ＯＦＤＭ通信を行うために、複数（Ｌ個）の信号系列を複数（Ｍ個）の送信アンテナ１２を用いて送信する機能と、Ｌ個の送信系列ごとに送信時間信号を生成し、重み付け・合成処理を施して、Ｍ個の送信アンテナ１２ごとの送信時間信号を生成する機能と、Ｍ個の送信アンテナ１２ごとに各ＯＦＤＭシンボルの時間波形のＰＡＰＲ情報Ｓ３を算出する機能と、算出されたＭ個のＰＡＰＲ情報Ｓ３の最大値に基づいて、Ｍ個の送信アンテナ１２の各ＯＦＤＭシンボルの平均電力を補正する機能と、各ＯＦＤＭシンボルの平均電力補正値Ｓ４を受信機に通知する機能と、を備えている。
【０１１５】
また、受信機は、送信機から通知される各ＯＦＤＭシンボルの平均電力補正値を取得する機能と、取得した平均電力補正値に基づいて、受信信号に補正を与えて各サブキャリアの情報を復元する機能とを備えている。
【０１１６】
これにより、複数の信号系列を空間多重して送受信するシステムにおいて、より高い信号対雑音電力比による信号伝送を実現することができる。
【０１１７】
さらに、具体的には、送信機(図)８は、Ｍ個の送信アンテナ１２ごとに対応したＭ個のアンテナ制御回路２０１〜２０４を備え、Ｍ個のアンテナ制御回路２０１〜２０４の各々は、各ＯＦＤＭシンボルを含む１フレーム分の送信時間信号をバッファリングする時間信号バッファ５を有し、ＰＡＰＲ算出部６は、１フレーム内のすべてのＯＦＤＭシンボルのＰＡＰＲ情報Ｓ３を算出する。
【０１１８】
また、電力補正手段は、各ＯＦＤＭシンボルの平均電力補正値Ｓ４を生成する制御信号生成部７と、平均電力補正値Ｓ４を用いて各ＯＦＤＭシンボルの平均電力を補正する平均電力補正部９とを有する。
また、送信手段は、送信フレーム内の規定位置に、同フレーム内のすべてのＯＦＤＭ信号の通知情報をまとめて挿入するＧＩ付加部１０を有する。
【０１１９】
一方、受信機（図２）内の基準情報算出部２６は、送信フレーム内の規定位置に挿入された通知情報（基準情報Ｓ２２）を取得し、取得した通知情報から、複数のＯＦＤＭシンボルごとの平均電力補正値を算出し、算出した平均電力補正値に基づいて各サブキャリアの情報を復元する。
【０１２０】
これにより、アダプティブアレーシステムにおいて、特定のＯＦＤＭシンボルで通知情報を伝送することができる。
【０１２１】
また、送信機（図８）は、Ｌ個の送信系列ごとに対応したＬ個の送信制御回路１０１〜１０３と、Ｍ個の送信アンテナ１２ごとに対応したＭ個のアンテナ制御回路２０１〜２０４とを備え、Ｌ個の送信制御回路１０１〜１０３の各々は、各サブキャリア上に配置された信号を時間領域信号に変換するＩＦＦＴ部４を有する。
【０１２２】
Ｍ個のアンテナ制御回路２０１〜２０４の各々は、図４のように、通知情報生成部８からの通知情報Ｓ６をＮ−ＯＦＤＭシンボル遅延させるＮ−ＯＦＤＭシンボル遅延部３０（第１のＮ−ＯＦＤＭシンボル遅延部）を有していてもよい。
この場合、Ｎ−ＯＦＤＭシンボル遅延部３０（図４参照）は、ＩＦＦＴ部４において、通知情報Ｓ６をＮ−ＯＦＤＭシンボル後のＯＦＤＭシンボルの規定サブキャリアに配置する。
【０１２３】
また、この場合、受信機は、図５のように、受信信号に含まれるデータ部の受信情報をＮ−ＯＦＤＭシンボル遅延させるＮ−ＯＦＤＭシンボル遅延部３５（第２のＮ−ＯＦＤＭシンボル遅延部）を有する。
受信機内の基準情報算出部２６は、Ｎ−ＯＦＤＭシンボル後の特定のサブキャリアから通知情報を取得し、取得した通知情報に基づく平均電力補正値を用いて、Ｎ−ＯＦＤＭシンボル前のデータ部を補正し、各サブキャリアの情報を復元する。
【０１２４】
これにより、アダプティブアレーシステムにおいて、後続するＯＦＤＭシンボルの特定サブキャリアで通知情報を伝送することができる。
【０１２５】
また、送信機（図８）において、Ｌ個の送信制御回路１０１〜１０３の各々は、各サブキャリア上に配置された信号を時間領域信号に変換するＩＦＦＴ部４を備えており、Ｍ個のアンテナ制御回路２０１〜２０４の各々は、図６のように、通知情報生成部２６からの通知情報Ｓ６をＮ−ＯＦＤＭシンボル遅延させるＮ−ＯＦＤＭシンボル遅延部３０と、Ｎ−ＯＦＤＭシンボル遅延部３０からの通知情報に基づいて、送信すべきパイロットパターンを選択するパイロットパターン選択部４０（図６参照）と、を有していてもよい。
【０１２６】
この場合、パイロットパターン選択部４０は、ＩＦＦＴ部４において、選択したパイロットパターンとＮ−ＯＦＤＭシンボル後の送信データとを同一ＯＦＤＭシンボルに配置する。
また、受信機は、図７のように、受信信号に含まれるデータ部の受信情報をＮ−ＯＦＤＭシンボル遅延させるＮ−ＯＦＤＭシンボル遅延部３５と、Ｎ−ＯＦＤＭシンボル後のパイロットパターンを検出するパイロットパターン検出部４５とを有する。
受信機内の基準情報算出部２６は、Ｎ−ＯＦＤＭシンボル後のパイロットパターンから通知情報を取得し、取得した通知情報に基づく平均電力補正値を用いて、Ｎ−ＯＦＤＭシンボル前のデータ部を補正し、各サブキャリアの情報を復元する。
【０１２７】
これにより、アダプティブアレーシステムにおいて、後続するＯＦＤＭシンボルのパイロットパターンで通知情報を伝送することができる。
【０１２８】
実施の形態５．
なお、上記実施の形態１〜４では特に言及しなかったが、図９に示すように、振幅に依存しない変調方式を用いて、通知情報を含むＯＦＤＭシンボルを構成してもよい。
図９はこの発明の実施の形態５に係るＯＦＤＭ通信装置で適用されるフレーム構成例を示す説明図である。
【０１２９】
前述の実施の形態１で述べたように、各ＯＦＤＭシンボルを受信機で正確に復元（復調）するためには、各ＯＦＤＭシンボルの平均電力補正値が必要となるので、通知情報を含むＯＦＤＭシンボルに対して平均電力補正を適用することはできない。
しかしながら、図９のように、振幅に依存しない変調方式を用いて通知情報を含むＯＦＤＭシンボルを構成すれば、通知情報部分にも平均電力補正を適用することができる。
【０１３０】
図９において、ＯＦＤＭシンボルの１フレームは、先頭のパイロット（Ｐｉｌｏｔ）部６０と、パイロット部６０に続く通知情報６１と、通知情報６１に続くデータ部６２、６３、６４、・・・とにより構成される。
【０１３１】
パイロット部６０において各種同期および伝送路推定の処理が行われ、後続する通知情報６１や、データ部６２、６３、６４、・・・の復調が行われる。
通知情報６１を含むＯＦＤＭシンボルについては、振幅に依存しない変調方式（ＰＳＫなど）が用いられ、データ部６１、６２、６３、・・・については、効率の高い変調方式（ＱＡＭなど）が用いられる。これにより、フレーム全体にわたって、平均電力補正を適用することが可能となる。
【０１３２】
以上のように、この発明の実施の形態５に係るＯＦＤＭ通信装置の送信機（図１）は、送信情報から符号化されたデータを生成する符号化部１と、符号化部１により符号化されたデータを変調してシンボル情報を生成する変調部２とを備えており、変調部２は、通知情報を含むＯＦＤＭシンボルに対してはＰＳＫ系の変調方式を適用する。
また、送信機内の電力補正手段は、通知情報を含むＯＦＤＭシンボルに平均電力補正処理を適用し、通知情報を含むＯＦＤＭシンボルの平均電力補正値の受信機への通知を禁止する。
【０１３３】
すなわち、送信機は、通知情報を含むＯＦＤＭシンボルに平均電力補正を適用する機能と、通知情報を含むＯＦＤＭシンボルに対してＰＳＫ系（振幅を用いない）変調方式を適用し、通知情報を含むＯＦＤＭシンボルの平均電力補正値が受信機に通知されないようにする。
これにより、フレーム（図９）内の通知情報６１の部分においても、平均電力補正を適用することができるので、より高品質な無線通信を実現することができる。
【０１３４】
実施の形態６．
なお、上記実施の形態１〜５では特に言及しなかったが、ＰＳＫ系の変調方式を採用して、通知情報の伝送に割り当てられた領域をユーザデータの伝送に割り当ててもよい。
一般に、適応変調機能を有する無線通信システムにおいては、伝送路状態が悪い場合に変調多値数を落とし、ＰＳＫ系の位相変調方式（Ｂｉｎａｒｙ  Ｐｈａｓｅ  Ｓｈｉｆｔ  Ｋｅｙｉｎｇ：ＢＰＳＫ、または、Ｑｕａｄｒａｔｕｒｅ  Ｐｈａｓｅ  Ｓｈｉｆｔ  Ｋｅｙｉｎｇ：ＱＰＳＫなど）が適用される。
【０１３５】
このように、振幅に情報が載らない位相変調方式としてＰＳＫ系を採用する場合には、受信機において、平均電力補正値を取得することなく、送信データの復元が可能となる。
したがって、通知情報の伝送に割り当てられた領域を、ユーザデータの伝送に割り当てることにより、伝送速度を向上させることができる。
【０１３６】
以上のように、この発明の実施の形態６に係るＯＦＤＭ通信装置の送信機(図)１は、適応変調機能を有する変調部２を備えており、変調部２は、ＰＳＫ系の変調方式を適用した場合には、通知情報の生成および伝送を禁止し、ＱＡＭ系の変調方式を適用した場合には、通知情報の生成および伝送を行う。
【０１３７】
すなわち、送信機は、適応変調の機能と、ＰＳＫ系（振幅を用いない）変調方式が適用された場合には、通知情報の生成および伝送を行わずに、ＱＡＭ系（振幅を用いる）変調方式が適用された場合には、通知情報の生成および伝送を行うための切替機能とを有する。
これにより、通知情報の伝送が不必要な場合には、データの伝送速度を向上させることが可能となる。
【符号の説明】
【０１３８】
１  符号化部、２  変調部、３  Ｓ／Ｐ部、４  ＩＦＦＴ部、５  時間信号バッファ、６  ＰＡＰＲ算出部、７  制御信号生成部、８  通知情報生成部、９  平均電力補正部、１０  ＧＩ付加部、１１  ＨＰＡ、１２  送信アンテナ、２０  受信アンテナ、２１  低雑音増幅器、２２  ＧＩ削除部、２３  ＦＦＴ部、２４  Ｐ／Ｓ部、２５  時間・周波数同期部、２６  基準情報算出部、２７  検波部、２８  メトリック算出部、２９  誤り訂正部、３０、３５  Ｎ−ＯＦＤＭシンボル遅延部、４０  パイロットパターン選択部、４５  パイロットパターン検出部、５０  ビーム制御部、５１  加算器、６０  パイロット部、６１  通知情報、６２〜６４  データ部、１０１〜１０３  送信制御回路、２０１〜２０４  アンテナ制御回路、Ｑ１、Ｑ２  切替スイッチ、Ｓ１  送信情報、Ｓ２  送信時間信号、Ｓ３  ＰＡＰＲ情報、Ｓ４  平均電力補正値、Ｓ５  平均電力補正後の送信時間信号、Ｓ６  通知情報、Ｓ２０  受信信号、Ｓ２１  受信情報（制御情報部）、Ｓ２２  基準情報、Ｓ２３  受信情報（データ部）、Ｓ２４  受信機出力、Ｓ３０  遅延された通知情報（電力補正情報）、Ｓ３１  時間領域信号、Ｓ４０  パイロットパターン（パイロット信号）、Ｓ４５  パイロット信号、Ｓ４６  平均電力補正情報、Ｓ５１  送信時間信号。
【図１】
2010283480.tif 000007
【図２】
2010283480.tif 000008
【図３】
2010283480.tif 000009
【図４】
2010283480.tif 000010
【図５】
2010283480.tif 000011
【図６】
2010283480.tif 000012
【図７】
2010283480.tif 000013
【図８】
2010283480.tif 000014
【図９】
2010283480.tif 000015